(57)【特許請求の範囲】
【請求項１】
座部と、
前記座部を回転自在に支持する取り付け部と、
前記取り付け部を支持し、所定の間隔に開いて互いに略平行に、かつ床面に略平行に前
方に延びたベース部と前記ベース部に連なりキャスタが取り付けられる斜行部と前記斜行部に連なる支柱部を有して上方に立ち上がる
第１のフレームと、
前記第１のフレームに支持される天板と、
前記第１のフレームとともに前記取り付け部を支持する第２のフレームと、
を備える机付き椅子。
【請求項２】
前記第１のフレームに支持される前記天板は、
前記支柱部に連なる載置部に設けられた請求項１に記載の机付き椅子。
【請求項３】
前記第２のフレームは、
前記取り付け部から後方の斜め下方に延びる傾斜部と、
前記傾斜部の端部において後方の斜め上方に延びる後方傾斜部と、
前記傾斜部及び前記後方傾斜部に設置される荷物支持板と、
を備える請求項１又は請求項２に記載の机付き椅子。
【請求項４】
前記荷物支持板は、
前記傾斜部に設けたメッシュ板と前記後方傾斜部に設けた傾斜板を備える請求項３に記載の机付き椅子。
【請求項５】
机付き椅子と、前記机付き椅子とは別体のテーブルと、を備える机付き椅子とテーブル
のセットであって、
前記テーブルは、
前記机付き椅子の座部との物理干渉を避けて屈曲する脚部と、
前記脚部に支持されるテーブル天板と、
を備え、
前記机付き椅子は、
前記テーブル天板よりも高さが低い前記座部と、
前記座部を回転自在に支持する取り付け部と、
前記取り付け部を支持し、所定の間隔に開いて互いに略平行に、かつ床面に略平行に前
方に延び、前記テーブル天板との物理干渉を避けて上方に立ち上がる第１のフレームと、
前記第１のフレームに支持され、前記テーブル天板より高さが高い天板と、
前記第１のフレームとともに前記取り付け部を支持する第２のフレームと、
を備える机付き椅子とテーブルのセット。
【請求項６】
前記第２のフレームは、
前記取り付け部から後方の斜め下方に延びる傾斜部と、
前記傾斜部の端部において後方の斜め上方に延びる後方傾斜部と、
前記傾斜部及び前記後方傾斜部に設置される荷物支持板と、
を備える請求項５に記載の机付き椅子とテーブルのセット。
【発明の詳細な説明】
【技術分野】
【０００１】
本発明は、机付き椅子に関するものである。
【背景技術】
【０００２】
授業や講義の場において机付きの椅子が用いられることがある（例えば、特許文献１）。この机付きの椅子は、アームレストやアームレストの位置に移動可能乃至着脱可能な机の天板を取り付けたものである。
【０００３】
このタイプの机付き椅子は、天板がアームレストに設けられているため、天板は小さめのものが多く、耐荷重も大きくない。加えて、机の高さがアームレストの高さと略同じ高さとなるため、机を使用しようとすると勢い姿勢が前かがみとなり、使い勝手の良いものとは言えない。
【０００４】
さらに、このタイプの椅子は、単独に使用されることが前提となっている。従って、複数の机付き椅子に座った複数の者が作業用テーブルを囲みながらグループ作業を行おうとすると、作業用テーブルと椅子が物理干渉を起こすため、作業用テーブルに向かって着座できない。
【先行技術文献】
【特許文献】
【０００５】
【特許文献１】特開平７−２３６５２９号公報
【発明の概要】
【発明が解決しようとする課題】
【０００６】
従って、単独に使用するときは耐荷重の高い広めの机を使用することができ、作業用テーブルを囲みながら複数台が使用する際には作業用テーブルに向かって着座できる机付き椅子が求められている。
【課題を解決するための手段】
【０００７】
前記課題を解決するための本発明に係る机付き椅子は、座部と、前記座部を回転自在に支持する取り付け部と、前記取り付け部を支持し、所定の間隔に開いて互いに略平行に、かつ床面に略平行に前方に延びたベース部と前記ベース部に連なりキャスタが取り付けられる斜行部と前記斜行部に連なる支柱部を有して上方に立ち上がる第１のフレームと、前記第１のフレームに支持される天板と、前記第１のフレームとともに前記取り付け部を支持する第２のフレームと、
を備える。
【発明の効果】
【０００８】
本発明によれば、耐荷重の高い広めの天板の机を備えているため、単独で使用するときに使い勝手良好に使用することができ、作業用テーブルを囲みながら使用する際には複数台の椅子が作業用テーブルと物理干渉することなく当該テーブルに向かって着座することができる。
【図面の簡単な説明】
【０００９】
【図１】机付き椅子及びテーブルのセットを示す斜視図。
【図２】図１の机付き椅子及びテーブルのセットの側面図。
【図３】机付き椅子の正面斜視図。
【図４】机付き椅子の背面斜視図。
【図５】机付き椅子の正面図。
【図６】机付き椅子の背面図。
【図７】机付き椅子の左側面図。
【図８】テーブルの斜視図。
【図９】テーブルの正面図。
【図１０】テーブルの側面図。
【図１１】テーブルの平面図。
【発明を実施するための形態】
【００１０】
以下、本発明の一実施形態にかかる机付き椅子及び机付き椅子とテーブルのセットを、図面を参照しながら説明する。
【００１１】
図１は本実施形態にかかる机付き椅子１及びテーブル２のセットを示す斜視図、図２は図１の机付き椅子１及びテーブル２のセットの側面図である。また、図３は机付き椅子１の正面斜視図、図４は机付き椅子１の背面斜視図、図５は机付き椅子１の正面図、図６は机付き椅子１の背面図、図７は机付き椅子１の左側面図である。
【００１２】
図１から図７に示すように、机付き椅子１は、天板１３と、第１のフレーム１１と、第２のフレーム１５と、切欠き１８２を有する背もたれ１８１を具備する座部１８と、を備える。
【００１３】
天板１３は、書籍やノートを載置するのに十分な広さを有し、図１に向かって奥側である前端部に天板１３に載置した物が落ちないように図１に向かって上方に盛り上がるストッパ１３１を備える。天板１３は第１のフレーム１１の上端部に横方向に延びる載置部１１Ａに、略水平に載置される。
【００１４】
第１のフレーム１１はパイプを曲げて形成される。第１のフレーム１１の両端部は天板１３を載置する載置部１１Ａを形成し、載置部１１Ａは天板１３の前端部中央の直下において合わさって斜め前方下向きに折れ曲がる屈曲部１１Ｂに連なる。
【００１５】
屈曲部１１Ｂはさらに縦方向下向きに折れ曲がり、支柱部１１Ｃに連なる。支柱部１１Ｃは、合わさったまま座部１８の高さまで下方に延び、座部１８の高さと略等しい高さにおいて斜め側面方向に左右に分離する。
【００１６】
支柱部１１Ｃの下端は床面付近において図１及び図２に向かって手前側である後方に向かって斜め下方に折れ曲がり、前方キャスター１２が取り付けられる斜行部１１Ｄに連なる。斜行部１１Ｄは前方キャスター１２の取り付け位置の下方において後方に折れ曲がり、横方向に延びるベース部１１Ｅに連なる。
【００１７】
２本のベース部１１Ｅは、所定の間隔である天板１３の幅方向の長さと略等しい間隔に開いて、互いに略平行に、かつ床面に略平行に横方向後方に延びる。従って、ベース部１１Ｅによって椅子１が前後方向に転倒することと、横方向に転倒することを防止できる。
【００１８】
ベース部１１Ｅは横方向後方に延び、斜め上方に折れ曲がる支持部１１Ｆに連結し、支持部１１Ｆは上端部において座部１８を支持する取り付け部１５Ｃ（図７参照。）を支持する。
【００１９】
一方、テーブル２は机付き椅子１とは別体に設けられる。テーブル２は、テーブル天板２１と、４本の脚部２３と、を備える。各脚部２３は、パイプを折り曲げて形成される。各脚部２３は横方向に延び、テーブル天板２１を載置するテーブル載置部２３Ａを備える。テーブル載置部２３Ａは、テーブル天板２１の縁からテーブル天板２１の内側方向に向かって延びる。
【００２０】
テーブル２は、テーブル天板２１の下方に、テーブル天板２１の長手方向中心部に沿って設置される支持部材２４を備える。支持部材２４は１本のパイプを同方向に２回折り曲げて形成される。支持部材２４の両端部はテーブル天板２１の裏面に接触する（図９参照。）。
【００２１】
テーブル載置部２３Ａは支持部材２４に接触する位置において下方に折れ曲がり、座部１８の高さまで下方に直進する接触部２３Ｂに連なる。接触部２３Ｂは、座部１８の高さにおいてテーブル天板２１の縁方向に広がる斜行脚部２３Ｃに連なり、斜行脚部２３Ｃは端部に床面に接触する脚端部２３Ｄに連なる。
【００２２】
ここで、テーブル天板２１の床面からの高さＨ３は、天板１３の床面からの高さＨ１より低く、座部１８の床面からの高さＨ２より高い。従って、座部１８に着座してテーブル天板２１の方向を見ると、テーブル天板２１に載置される物や書類を俯瞰することが可能となり、効率よく作業を進めることが可能となる。
【００２３】
また、第１のフレーム１１は天板１３の前端部の下方において外部の障害物との物理干渉を避ける方向に屈曲して下方に伸びる。つまり、第１のフレーム１１は、テーブル天板２１との物理干渉を避ける方向に屈曲する。ここで、物理干渉を避ける方向とは、障害物であるテーブル天板２１の椅子１への進入方向と同方向である。例えば、テーブル天板２１が椅子に対して左右方向から侵入するように使用することを前提とする場合には、第１のフレーム１１はテーブル天板２１の進入方向である天板１３の左右側面から中心方向に屈曲する。テーブル天板２１が天板１３の左方向からのみ進入することを前提とする場合には、第１のフレーム１１を左から右に屈曲するように構成することも可能である。
【００２４】
そして、テーブル２の各脚部２３はテーブル天板２１の内側方向に屈曲する。つまり、各脚部２３は外部の障害物である座部１８を避ける方向である、テーブル２に対する座部１８の進入方向に屈曲する。例えば、座部１８がテーブル２のテーブル天板２１の周から内部に向かって進入するように使用することを前提とする場合には、脚部２３はテーブル天板２１の周から内部に向かって屈曲する。
【００２５】
さらに、座部１８は、取り付け部１５Ｃに回転自在に取り付けられているため自由に回転する。従って、テーブル２は机付き椅子１と物理干渉を起こさず、また机付き椅子１はテーブル２を囲むように配置しても座者はテーブル２の方に向かって着座することが可能となる。
【００２６】
図３から図７に示すように、机付き椅子１は、荷物置き１７を有する第２のフレーム１５を備える。
【００２７】
第２のフレーム１５は１本のパイプを折り曲げて形成される。第２のフレーム１５は、長手方向中心部において座部１８の取り付け部１５Ｃと連結する連結部１５Ｄを有する、この連結部１５Ｄは、両端部において斜め下方に折れ曲がり、下方に延びる傾斜部１５Ａに連なる。各傾斜部１５Ａは、床面付近において上方に折れ曲がり斜め上方に後方に向かって延びる後方傾斜部１５Ｂに連なる。
【００２８】
第２のフレーム１５の上面には荷物支持板１７が設置される。荷物支持板１７は、傾斜部１５Ａに取り付けられ、複数の貫通孔を有するメッシュ板１７１と、後方傾斜部１５Ｂに取り付けられる傾斜板１７２と、を備える。メッシュ板１７１及び傾斜板１７２は一体に形成されていてもよい。
【００２９】
図８はテーブル２の斜視図、図９はテーブル２の正面図、図１０はテーブル２の側面図、図１１はテーブル２の平面図である。図８から図１１に示すように、テーブル２はテーブル天板２１の略四隅に設置される磁性係止部２５と、テーブル天板２１の縁に設置される縁取り部２２と、をさらに備える。
【００３０】
磁性係止部２５は、鉄などの磁性体を樹脂によって形成される被膜とテーブル天板２１の基材との間に有する。磁性係止部２５は、テーブル天板２１に広げられる模造紙Ｐの四隅に対応する位置に、各１個ずつ合計４個配置される。
【００３１】
磁性係止部２５の上に模造紙Ｐの角を合わせ、その上から別途用意される永久磁石を載せることにより、模造紙Ｐのカールを抑えながら、着脱可能に係止することが可能となる。
【００３２】
磁性係止部２５は、樹脂によって形成される縁取り部２２と一体に形成されていてもよい。
【００３３】
以上のべたように、本実施形態の机付き椅子１は、座部１８と、座部１８を回転自在に支持する取り付け部１５Ｃと、取り付け部１５Ｃを支持し、所定の間隔に開いて互いに略平行に、かつ床面に略平行に前方に延び、別体として配置されたテーブル２のテーブル天板２１との物理干渉を避けて上方に立ち上がる第１のフレーム１１と、第１のフレーム１１に支持される天板１３と、第１のフレーム１１とともに取り付け部１５Ｃを支持する第２のフレーム１５と、を備える。
【００３４】
従って、天板１３の高さより低く、座部１８の高さより高いテーブル天板２１を有するテーブル２に対して物理干渉を起こさず、かつテーブル２の方向に向かって座部１８に着座することができるという効果がある。また、天板１３は第１のフレーム１１によって支持されるため、耐荷重がアームレストによって机を支持するタイプの耐荷重より大きくなるという効果がある。
【符号の説明】
【００３５】
１  椅子
１１  第１のフレーム
１１Ａ  載置部
１１Ｂ  屈曲部
１１Ｃ  支柱部
１１Ｄ  斜行部
１１Ｅ  ベース部
１１Ｆ  支持部
１２  前方キャスター
１３  天板
１５  第２のフレーム
１５Ａ  傾斜部
１５Ｂ  後方傾斜部
１５Ｃ  取り付け部
１５Ｄ  連結部
１７  荷物支持板
１８  座部
１３１  ストッパ
１７１  メッシュ板
１７２  傾斜板
２  テーブル
２１  テーブル天板
２２  縁取り部
２３  脚部
２３Ａ  テーブル載置部
２３Ｂ  接触部
２３Ｃ  斜行脚部
２３Ｄ  脚端部
２４  支持部材
２５  磁性係止部
【図１】
0006712852.tif 000002
【図２】
0006712852.tif 000003
【図３】
0006712852.tif 000004
【図４】
0006712852.tif 000005
【図５】
0006712852.tif 000006
【図６】
0006712852.tif 000007
【図７】
0006712852.tif 000008
【図８】
0006712852.tif 000009
【図９】
0006712852.tif 000010
【図１０】
0006712852.tif 000011
【図１１】
0006712852.tif 000012